(57)【特許請求の範囲】
【請求項１】
前面枠の前面側に打球供給皿と下部貯留皿とを設けると共に、
前面枠の裏面側に打球供給皿のパチンコ球を整列して導き出す供給通路と該供給通路のパチンコ球を１個ずつ発射レールの発射部に供給する打球供給装置とを設け、
前記供給通路の終端部分に球抜口を開設すると共に、該球抜口には常に付勢されて球抜口を閉じる位置と球抜き操作によって球抜口を開放する位置とに往復移動自在な可動底板を配設し、
前記打球供給装置は、前記可動底板の最先端部のパチンコ球が流下する流入部と、上下方向に回動するフリッカー部材とを備え、
前記フリッカー部材は、前記流入部を塞ぐ上面部と、該上面部から起立突設され下方に回動したときパチンコ球が流入部へ流入するのを阻止する球止片と、上方に回動したとき前記球止片から開放された前記流入部より落下するパチンコ球を受け入れて保持し且つ下方に回動されたときそのパチンコ球を前記発射レールの発射部に供給する球受部とを一体に設けて構成し、
前記フリッカー部材の上面部に設けた球止片は、供給通路の可動底板に流入した最先端のパチンコ球がその半体部分をフリッカー部材の上面部に臨ませ、残りの半体部分を可動底板の上に乗るように位置設置してなることを特徴とするパチンコ機における打球供給皿の球抜き機構。
【発明の詳細な説明】
【０００１】
【発明の属する技術分野】
本発明は、打球供給皿と下部貯留皿とを備える前面枠の裏面側に設けられて打球供給皿のパチンコ球を１個ずつ発射レールの発射部に供給する打球供給装置、特に、打球供給皿のパチンコ球を下部貯留皿に球抜きする際に打球供給装置内にあるすべてのパチンコ球を一球も残さないで抜き取ることができるようにしたパチンコ機における打球供給皿の球抜き機構に関するものである。
【０００２】
【従来の技術】
従来のパチンコ機においては、前面枠の前面側に打球供給皿と下部貯留皿とを設け、打球供給皿のパチンコ球を前面枠の裏面側に設けられた打球供給装置に導いて１個ずつ発射レールの発射部に供給するようにされている。一方、打球供給皿の底部には球抜孔が設けられると共に、該球抜孔にスライド板が配設されており、該スライド板を移動させて球抜孔を開放することにより打球供給皿のパチンコ球を下部貯留皿に抜き取ることができるようになっている。
【０００３】
【発明が解決しようとする課題】
ところで、上記したパチンコ機にあっては、打球供給皿のパチンコ球を底部の球抜孔から直接に下部貯留皿へ抜き出すようにしているため、打球供給装置に導かれたパチンコ球は抜き取られずに打球供給装置の中に残留している。そして、打球供給装置内に残されたパチンコ球を抜き取るためには、例えば、その残されたパチンコ球を遊技盤面に打ち込まないように弱い弾発力で発射して発射レールのファール口から下部貯留皿に戻して回収する等遊技者に面倒な操作を行わせる必要があった。
【０００４】
そこで本発明は、打球供給装置の通路構成枠の中に入った最先のパチンコ球を通路構成枠に備える球抜口に設けたスライド板上に待機位置させるようにし、打球供給皿のパチンコ球を下部貯留皿に抜き取る際に打球供給装置の通路構成枠の中に残されたパチンコ球を一個も残さずに下部貯留皿へ回収することができるようにしたパチンコ機の打球供給皿の球抜き機構を提供することを目的としている。
【０００５】
【課題を解決するための手段】
上記目的を達成するために、本発明のパチンコ機における打球供給皿の球抜き機構は、前面枠の前面側に打球供給皿と下部貯留皿とを設けると共に、前面枠の裏面側に打球供給皿のパチンコ球を整列して導き出す供給通路と該供給通路のパチンコ球を１個ずつ発射レールの発射部に供給する打球供給装置とを設け、前記供給通路の終端部分に球抜口を開設すると共に、該球抜口には常に付勢されて球抜口を閉じる位置と球抜き操作によって球抜口を開放する位置とに往復移動自在な可動底板を配設し、前記打球供給装置は、供給通路の最先端部のパチンコ球が流下する流入部と上下方向に回動するフリッカー部材とを備え、該フリッカー部材は流入部を塞ぐ上面部と下方に回動したときパチンコ球が流入部へ流入するのを阻止して可動底板の上に待機させる球止片と上方に回動したとき前記球止片から開放された流入部より落下するパチンコ球を受け入けれて保持し且つ下方に回動されたときそのパチンコ球を発射レールの発射部に供給する球受部とを一体に設けてなるものである。
【０００６】
前記フリッカー部材は、上面部の供給通路の可動底板の最先端部と略同一水平面となるように位置させ、この上面部の上に球止片を一体に起立突設するのが好ましい。
【０００７】
前記フリッカー部材の上面部に設けた球止片は、供給通路の可動底板に流入した最先端のパチンコ球がその半体部分をフリッカー部材の上面部に臨ませ、残りの半体部分を可動底板の上に乗るように位置設置するのが好ましい。
【０００８】
【発明の実施の形態】
本発明の実施の形態を図面に基づいて説明すると、図１は本発明に係るパチンコ機の正面図、図２はガラス枠及び前面枠を開放して示すパチンコ機の下部部分の斜視図を示し、１はパチンコ機の前面枠、２は前面枠１の後面に着脱自在に装着された遊技盤であって、該遊技盤２の右下側に発射レール３が装着されている。４は発射レール３の発射部５に先端が臨む打球杆、６は発射レール３の前面を覆う前面板であって、遊技盤２の上方部を覆うガラス扉枠７と共に前面枠１の一側に開閉自在に装着されている。前記前面板６の表面には打球供給皿８が設けられている。また、前面枠１の下部前面には打球供給皿８の余剰球を貯留する下部貯留皿９と操作ハンドル１０が設けられている。
【０００９】
前記打球供給皿８は、図３に示すように、本体部１１と該本体部１１の前面外側を覆うカバー部材１２とから構成されている。本体部１１はパチンコ球を貯留する皿部１３と該皿部１３の上縁部分を囲う飾板部１４及び皿部１３の下方に延出する側板部１５とを有する。前記皿部１３は底部が一方に緩やかに下り傾斜しその傾斜下部にパチンコ球が一列に整流される整流部１６が形成されており、該整流部１６の下流端が位置する前面板６には皿部１３のパチンコ球を前面板６の裏側に流出させる上部通孔１７が開設されている。また、前面板６には側板部１５に形成された球抜通路１８に連通する下部通孔１９が開設されている。
【００１０】
一方、前面板６の裏面には打球供給装置２０が組み込まれた通路構成枠２１が配設される。この通路構成枠２１は、図４に示すように、前面板６に開設された上部通孔１７に合致する流入口２２及び下部通孔１９に合致する流出口２３が設けられた板状体２４ａと前面が開口した中空状の箱体２４ｂとに二分割して形成し、それぞれを合体してビス止め２５，２５することにより一体化される。この通路構成枠２１の内部には流入口２２と連通状に供給通路２６が形成されており、該供給通路２６の終端と打球供給装置２０との間に球抜口２７を設けている。また、供給通路２６の下方には球抜口２７から落下するパチンコ球を受けて流出口２３に流出させる通路部２８が形成されている。
【００１１】
前記球抜口２７には該球抜口２７を開閉する可動底板２９が設けられている。この可動底板２９は摺動軸部２９ａを一体に備えており、打球供給皿８の側板部１５に形成された箱状のガイド部３０に前記摺動軸部２９ａを左右方向へ往復移動自在に支持され、可動底板２９の前側部分を前面板６に開設されたガイド長孔３１及び板状体２４ａの長溝３２から通路構成枠２１の内部に臨ませて供給通路２６の一部を構成している。
【００１２】
前記打球供給装置２０は、図４ないし図６に示すように、供給通路２６の最先端部のパチンコ球が流入する流入部３３と発射レール３の発射部５に対応する開口部３４と上下方向に回動するフリッカー部材３５とを備える。このフリッカー部材３５は両側部に発射レール３と平行な回動支軸３６，３６が一体に突設されており、該回動支軸３６，３６を開口部３４に形成された軸受凹部３７，３７に嵌めて上下に回動自在に支持され、かつ自然状態では図６（イ）実線のように下方に回動するように重心が置かれている。
【００１３】
本発明において、前記フリッカー部材３５は、図６（イ）に示す自然状態で、前記供給通路２６の可動底板２９の最先端部と略同一水平面になる位置に流入部３３を塞ぐ上面部３８を有し、この上面部３８の上にはパチンコ球が流入部３３に流入するのを阻止する球止片３９を一体に起立突設し、上方に回動したときに前記球止片３９と上面部３８が流入部３３を開放して該流入部３３から落下するパチンコ球を受け入れて待機させ且つ下方へ回動されたときそのパチンコ球を開口部３４から発射レール３の発射部５へ送り出す半円状の球受部４０を有し、回動支軸３６，３６と平行であり、且つ通路構成枠２１の外方へ突出する係合ピン４１とを有して構成される。
【００１４】
また、通路構成枠２１の板状体２４ａには、図４に示すように、前記フリッカー部材３５が上方へ回動したとき該フリッカー部材３５を受け入れる逃げ孔４２とその上方に一連に設けた球止片３９を受け入れる逃げ孔４２ａを穿設し、図６（ロ）に示すように、フリッカー部材３５が上方へ回動することにより該フリッカー部材３５の上面部３８及び球止片３９とが逃げ孔４２，４２ａに入り込んで流入部３３を開放し、可動底板２９の最先端に位置するパチンコ球が球受部４０への落下を可能な状態にする。
【００１５】
なお、前記係合ピン４１は、図５に示すように、発射レール３の下方であり、且つ遊技盤２の前面側に軸４３で回動自在に軸支された連動バー４４の押上部４５に当接可能なようになっている。また、連動レバー４４は押上部４５の一端から下方に垂下するレバー部４６を一体に備え、このレバー部４６が打球杆４に固着された引掛杆４７と係合可能なように位置されている。
【００１６】
一方、打球供給皿８の側板部１５前面には、図３及び図９に示すように、レバー部材４８が軸４９により揺動自在に軸支されると共に、操作部材５０が左右方向へ摺動自在に設けられている。前記レバー部材４８は軸４９より上方と下方に長孔５１及び５２を開設し、該長孔５１に可動底板２９の前側面に突設した突起５３を臨ませている。また、レバー部材４８にはコイルばね５４が連結されており、常に可動底板２９を図９実線のように球抜口２７を閉じる位置に付勢している。前記操作部材５０は前側面に突設した突起５５をレバー部材４８の上方の長孔５２に臨ませると共に、打球供給皿８の飾板部１４に開設した透孔５６から上方に突出されており、該操作部材５０をスライドさせてレバー部材４８を図９鎖線のように回動させることによって可動底板２９を球抜口２７を開放する位置に移動させることができるようになっている。
【００１７】
なお、前記フリッカー部材３５の上面部３８に突設した球止片３９は、図５及び図８（イ）に示すように可動底板２９に流入した最先のパチンコ球Ｂがその半体部分をフリッカー部材３５の上面部３８に臨ませ且つ残りの半体部分が可動底板２９の上に位置して待機するように設置し、フリッカー部材３５が上方へ回転して流入部３３を開放したときに球受部４０へ流入し、また、図８（ロ）に示すように、可動底板２９を移動させて球抜口２７を開放したときに通路部２８へ落下するように設けるのが好ましい。
【００１８】
次に、このように構成したパチンコ機の作用を説明する。打球供給皿８に貯留されるパチンコ球は整流部１６によって一列に整列されながら前面板６の上部通孔１７から流入口２２を経て通路構成枠２１内の供給通路２６に流入する。そして、供給通路２６の最先端部のパチンコ球Ｂは流入部３３から打球供給装置２０に流入しフリッカー部材３５の上面に突設した球止片３９により流入部３３への流入を阻止されて、図６（イ）及び図８（イ）に示すように、パチンコ球Ｂの半体部分をフリッカー部材３５の上面部３８に臨ませ且つ残りの半体部分が可動底板２９の上に位置して待機する。
【００１９】
この状態で打球杆４が図５鎖線のように発射準備位置に回動されると引掛杆４７によって連動レバー４４のレバー部４６が引寄せられて該連動レバー４４が軸４３を支点として上方へ回動し、これの押上部４５がフリッカー部材３５の係合ピン４１を上方へ押し上げる。このため、フリッカー部材３５が回動支軸３６，３６を支点として図６（ロ）のように上方へ回動してフリッカー部材３５の上面部３８及び球止片３９が板状体２４ａの逃げ孔４２，４２ａに納まって流入部３３を解放し、これによって球止片３９によって阻止されていたパチンコ球Ｂは下方へ落下して球受部４０に受け入れられる。そして、打球杆４が図５実線のように発射動作位置に回動するとフリッカー部材３５は連動レバー４４による係合ピン４１の押し上げが解除されて自重とパチンコ球Ｂの重量で図６（ロ）鎖線のように下方に回動し、球受部４０のパチンコ球Ｂを開口部３４から発射レール３の発射部５に送り出す。同時に後続する供給通路２６の最先端部のパチンコ球Ｂ1 はフリッカー部材３５の上面に突設した球止片３９により流入部３３への流入を阻止されて、図６（イ）及び図８（イ）に示すように、パチンコ球Ｂ1 の半体部分のフリッカー部材３５の上面部３８に臨ませ且つ残りの半体部分が可動底板２９の上に位置して待機させるもので、その後は打球杆４の往復回動毎に供給通路２６の可動底板２９の最先端部のパチンコ球が１個ずつ確実に発射レール３の発射部５に供給される。
【００２０】
しかして、打球供給皿８内のパチンコ球を下部貯留皿９に抜き取るには操作部材５０を図９鎖線のようにスライドしてレバー部材４８をコイルばね５４の付勢に抗して回動させる。これによって、可動底板２９がレバー部材４８の長孔５２に係合する突起５５を介して同図矢印方向に移動し図８（ロ）に示すように球抜口２７を開放する。このため、打球供給皿８内のパチンコ球は供給通路２６を通過して球抜口２７から通路部２８、前面板６の下部通孔１９を経て球抜通路１８に流出し、さらに前面板６に開設した流出口５７から遊技盤前面のシュート５８を通って下部貯留皿９に排出される。また、可動底板２９に位置する最先端部のパチンコ球は半体部分をフリッカー部材３５の上面部３８に臨ませ且つ残りの半体部分が可動底板２９の上に位置して待機しているので、可動底板２９を移動させて球抜口２７を解放したときに可動底板２９の上に位置している全てのパチンコ球、即ち、球止片３９に係止する最先端部のパチンコ球を含む全てのパチンコ球を球抜口２７から通路部２８へ一球も残すことなく落下させることができる。
【００２１】
そして、打球供給皿８内のパチンコ球を下部貯留皿９に抜き取った後、操作部材５０のスライド操作を解除すると、コイルばね５４の付勢によってレバー部材４８が元の状態に復帰し、同時に可動底板２９も図８（イ）に示す位置に移動して球抜口２７を閉じる。
【００２２】
【発明の効果】
本発明は上記のような構成であるから、打球供給皿のパチンコ球は打球供給装置を組み込んだ通路構成枠を通過させて下部貯留皿へ抜き取るようにし、しかも通路構成枠の供給通路の一部を形成し且つ球抜口を解放自在にする可動底板を介して連通する流入部は、フリッカー部材の上面部に突設した球止片によりパチンコ球が打球供給装置への侵入を阻止されることにより、供給通路のパチンコ球は可動底板の上に位置して待機するので、可動底板を移動させて球抜口を解放したときに、打球供給装置にパチンコ球を一個も残さずに供給通路にある全てのパチンコ球を抜き取って下部貯留皿へ排出されることができる。従って、本発明において打球供給皿のパチンコ球を抜き取った後には打球供給装置内にはパチンコ球が残留することがないので、従来パチンコ機のように打球供給装置内に残留するパチンコ球を下部貯留皿に回収するための面倒な操作を不要とすることができ、遊技者のサービス向上を図れる等の利点がある。
【図面の簡単な説明】
【図１】本発明に係るパチンコ機の正面図である。
【図２】ガラス枠及び前面板を開放した状態を示すパチンコ機の下部斜視図である。
【図３】打球供給皿部分の分解斜視図である。
【図４】通路構成枠の分解斜視図である。
【図５】通路構成枠部分の断面正面図である。
【図６】（イ），（ロ）は打球供給装置の作用を説明する断面側面図である。
【図７】球抜口と下部貯留皿との関連構成を示す要部の断面側面図である。
【図８】（イ），（ロ）は球抜き作用を説明する断面正面図である。
【図９】球抜き操作部部分の要部正面図である。
【符号の説明】
１        前面枠
３        発射レール
４        打球杆
５        発射部
８        打球供給皿
９        下部貯留皿
２０      打球供給装置
２６      供給通路
２７      球抜口
２９      可動底板
３３      流入部
３５      フリッカー部材
３８      上面部
３９      球止片
４０      球受部
【図１】
0003911042.tif 000002
【図２】
0003911042.tif 000003
【図３】
0003911042.tif 000004
【図４】
0003911042.tif 000005
【図５】
0003911042.tif 000006
【図６】
0003911042.tif 000007
【図７】
0003911042.tif 000008
【図８】
0003911042.tif 000009
【図９】
0003911042.tif 000010